(57)【特許請求の範囲】
【請求項１】
ビデオ表示装置用の偏向回路であって、
偏向電流に対応するラスタを形成する水平偏向コイルと、
前記水平偏向コイルに並列に結合され、且つ並列に接続された第１と第２の能動デバイスであって、各々別方向の第１と第２のダイオードが直列に接続された前記第１と第２の能動デバイスと、
を含み、
ラスタを形成する走査線を側方へ移動させるために、垂直走査期間の第１の別個の部分の間、前記第１の能動デバイスにより偏向電流を変調し、垂直走査期間の第２の別個の部分の間、前記第２の能動デバイスにより偏向電流を変調し、以て垂直走査期間の前記第１と第２の別個の部分の間の走査線の側方への移動により平行四辺形歪みが補正される、
前記偏向回路。
【発明の詳細な説明】
【０００１】
【発明の属する技術分野】
本発明は、一般に、ラスタ補正回路の分野に関し、特に、ビデオ表示装置の陰極線管のラスタにおける直交誤差と平行誤差を補正するのに使用される回路に関する。
【０００２】
【従来の技術】
ビデオ表示装置の陰極線管（ＣＲＴ）において、螢光面を横切って少なくとも一本の電子ビームを偏向させることによりラスタが形成される。各電子ビームは、水平周波数ののこぎり波電流で水平偏向コイルを励磁して生じる磁界により水平方向に偏向される。同時に、各電子ビームは、垂直周波数ののこぎり波電流で垂直偏向コイルを励磁して生じる磁界により垂直方向に偏向される。その結果、電子ビームは左から右へ偏向されるにつれて、負に傾斜した、すなわち“右下りの”走査線となり、ＣＲＴのラスタを形成する。カラーテレビジョン受像機に使用され、画面の幅約７２３ｍｍおよび画面の高さ約５３８ｍｍを有する典型的な陰極線管で、水平走査線は１フィールドにおいて完全に水平な位置から約２．４ｍｍ降下する。
【０００３】
図１に示すように、右下りの走査は、直角および平行四辺形の誤差をラスタに生じる。完全に矩形のラスタでは、水平および垂直方向の中心線は互いに直交しており垂直である。右下りの走査は完全に矩形のラスタを発生せず、ラスタの水平および垂直方向の中心線が直交しない。
【０００４】
直交誤差は量的尺度であり、ラスタの水平および垂直方向の中心線が直交性から外れている程度を、ラジアンまたは角度で表す。図２に示すように、ラスタをＸ座標とＹ座標で表すと、直交誤差は以下の三角関数式で計算することができる。
【数１】
0003947594.tif 000002
従来の右下りの走査では、約０．２°の直交誤差を生じる。ＣＲＴにおける直交誤差について典型的な設計許容範囲は＋０．３°として指定される。
【０００５】
直交誤差はラスタの左端と右端で拡大される。その理由は、よく知られているように、電子ビームの偏向感度は、電子ビームがラスタの端に接近するにつれて増大するからである。その結果、ラスタの端は傾いて、一般に平行四辺形の形になる。
【０００６】
平行四辺形の誤差は量的尺度であり、ラスタの形状が平行四辺形に近似する程度をラジアンまたは角度の単位で表す。図２に示すように、ラスタをＸ座標とＹ座標で表すと、垂直方向の平行四辺形誤差は以下の三角関数式で計算することができる。
【数２】
0003947594.tif 000003
水平方向の平行四辺形誤差は以下の三角関数式で計算することができる。
【数３】
0003947594.tif 000004
従来の右下りの走査では、典型的な直交誤差は、直交誤差の約１．５倍の平行四辺形誤差に変換される。例えば、直交誤差０．２°を生じる従来の右下りの走査で発生される平行四辺形誤差は約０．３°になる。ＣＲＴにおける平行四辺形誤差について典型的な設計上の許容範囲は＋０．５°と指定される。
【０００７】
ラスタにおける側方の（左右の）糸巻歪みを補正する手段を使用すると、右下りの走査により、ラスタの糸巻き歪みの湾曲に対する、糸巻き歪み補正電流包絡線の不整合を生じる。この不整合を軽減すると、約８０％だけ平行四辺形誤差が増加することがある。従って、約０．３°の平行四辺形誤差を生じる従来の右下りの走査の場合、左右の糸巻き歪み補正を使用すると、平行四辺形誤差は約０．６°に増加する。
【０００８】
ラスタの直交誤差および平行四辺形誤差を完全に除去してＣＲＴに最高級の画像を表示できることが望ましい。一つの解決法は、垂直偏向コイルと相対的に水平偏向コイルを回転させて、ラスタの傾斜した水平中心線をＣＲＴの水平中心線に合わせる。それによって、右下りの走査の影響は除去されるが、この方法には問題がある。第一に、この方法ではビデオ表示装置におけるコンバーゼンスに影響を及ぼす。第二に、傾斜した水平中心線がＣＲＴの中心線の方に回転されるにつれ、ラスタの糸巻き歪みの湾曲も回転して、傾斜した水平中心線と最初の関係を維持しようとする。従って、この方法では直交誤差は除去されるが、糸巻き歪みの補正電流包絡線とラスタの糸巻き歪みの湾曲との不整合のために平行四辺形誤差の成分は処理されない。
【０００９】
【発明が解決しようとする課題】
ここで述べる発明的構成によるラスタ補正を備えた偏向回路は、陰極線管の偏向コイル内の水平偏向電流を垂直周波数で変調して、ラスタにおける直交誤差および平行四辺形誤差を補正する。
【００１０】
【課題を解決するための手段】
このような偏向回路は、ラスタを形成する偏向コイル；および偏向コイルに結合される補正電流を発生しラスタの左右の側縁がそれぞれラスタの幾何学的中心を通る水平軸と直交する関係を設定する手段を含んでいる。この補正電流発生手段は、ラスタの幾何学的中心を通る水平軸と垂直軸が直交する関係を設定する。補正電流は、垂直走査周波数を有し且つのこぎり波の形状を有する。
【００１１】
ここで述べる発明的構成の特徴に従う、ビデオ表示装置のための偏向回路は、偏向電流に対応するラスタを発生する偏向コイルと；偏向電流を変調して、ラスタの複数の走査線を側方に移動する手段とを含んでいる。偏向電流は垂直走査周波数で変調される。
【００１２】
ラスタの上部における複数の走査線はラスタの第１の側縁の方へ移動され、ラスタの下部における複数の走査線は第１の側縁と反対側の、ラスタの第２の側縁の方へ移動される。このように複数の走査線が移動されると、ラスタの第１の側縁と第２の側縁が、それぞれラスタの幾何学的中心を通る水平軸と直交する関係となる。またこのように複数の走査線を移動すると、ラスタの幾何学的中心を通る水平軸と垂直軸が直交する関係となる。
【００１３】
偏向電流を変調する手段は第１と第２の能動デバイスを含み、各デバイスは水平偏向コイルの第１と第２の端子にそれぞれ結合される第１と第２の端子を備えており、第１と第２の能動デバイスは各垂直走査期間の間の別個の期間の間に偏向電流を変調する。能動デバイスのうちの一方はバイアスされ、他方の能動デバイスが偏向電流を変調している期間の間、十分に導通する。偏向電流の変調は、垂直走査期間の間の一部の期間に他方の能動デバイスの導電度を線形的に変化させることにより行われる。
【００１４】
ここで述べる発明的構成を組み入れた、ビデオ表示装置のための水平偏向システムは、ラスタを発生させる水平偏向コイルと；水平偏向コイルと並列に結合されて電子ビームをラスタの幾何学的中心に位置させてセンタリング・コイルおよびセンタリング・コンデンサの直列接続より成るセンタリング回路網と；センタリング・コンデンサに電圧を発生させる第１および第２の能動デバイスとを含み、この電圧はラタスの縦の中心付近で最小ピーク値に達し、ラスタの上部（ｔｏｐ）と下部（ｂｏｔｔｏｍ）で最大ピーク値に達する。この電圧の対応するピーク値間の間隔は垂直走査期間にほぼ等しい。
【００１５】
この電圧は、ラスタの左右の側縁が、それぞれラスタの幾何学的中心を通る水平軸と直交する関係を設定する方向に補正電流を水平偏向コイルに供給する。この電圧は、また、ラスタの幾何学的中心を通る水平軸と垂直軸が直交する関係を設定する方向に補正電流を水平偏向コイルに供給する。
【００１６】
上述のおよびその他の本発明の特徴および利点は、添付されている図面と関連して記載される以下の説明から明らかとなろう。図面中、類似する参照番号は同じ要素を示す。
特許請求の範囲に記載された事項と実施例との対応関係を、図面で使われている参照符号で示すと次の通りである。
（請求項１）  ビデオ表示装置用の偏向回路であって、
偏向電流に対応するラスタを形成する水平偏向コイル（ＬＨ）と、
前記水平偏向コイル（ＬＨ）に並列に結合され、且つ並列に接続された第１（Ｑ２）と第２（Ｑ３）の能動デバイスと、
を含み、
ラスタを形成する走査線を側方へ移動させるために、垂直走査期間の第１の別個の部分の間、前記第１の能動デバイスにより偏向電流を変調し、垂直走査期間の第２の別個の部分の間、前記第２の能動デバイスにより偏向電流を変調し、以て垂直走査期間の前記第１と第２の別個の部分の間の走査線の側方への移動により平行四辺形歪みが補正される、
前記偏向回路。
【００１７】
【発明の実施の形態】
従来の水平偏向回路１００が図３に示されており、それに関連する電圧および電流の波形は図４に示されている。電流の方向は図３に示す方向を正とする。
【００１８】
図３と図４に関して述べると、約１４０Ｖの直流電圧Ｂ+ は、高圧変成器Ｔ１の一次巻線ＬPR1 を介してＳ−補正コンデンサＣS に印加される。電子ビームがラスタの左上の隅に偏向されると、水平出力トランジスタＱ１は電流を流れさせない。水平偏向コイルＬH に以前貯えられたエネルギにより、電流は、順方向にバイアスされたダンパ・ダイオードＤ１と水平偏向コイルＬH を通って流れ、Ｓ−補正コンデンサＣS に入る。この時点で、ダンパ電流ＩD と水平偏向電流ＩH はそれぞれ負のピーク値に達する。
【００１９】
電子ビームがラスタの中央に達すると、水平偏向コイルＬH に貯えられたエネルギは衰えてゼロになり、水平偏向電流ＩH とダンパ電流ＩD はほぼゼロになる。ダンパ・ダイオードＤ１は逆方向にバイアスされ、水平発振回路１０により、水平出力トランジスタＱ１は電流ＩHOT を流れさせる。水平偏向電流ＩH は逆向きになり、Ｓ−補正コンデンサＣS より水平偏向コイルに供給されるエネルギにより、水平偏向電流ＩH は線形的に増加する。
【００２０】
電子ビームがラスタの右端に達すると、水平発振回路１０は、水平出力トランジスタＱ１に、電流ＩHOT を流れさせるのを止めさせ、ダンパ・ダイオードＤ１は逆方向にバイアスされたままである。この帰線期間の間、衰えている水平偏向電流ＩH は帰線コンデンサＣR の中に急速に流れ込む。水平偏向電流ＩH が衰えてほぼゼロになると、逆向きとなり、それから帰線コンデンサＣR から供給される。帰線コンデンサがその貯えられたエネルギを水平偏向コイルＬH を通して放出すると、電子ビームはラスタの左上隅に戻され、この動作が繰り返される。
【００２１】
図１に示すように、負の直交誤差を有するラスタの場合、ラスタは全体に平行四辺形の形をしており、ラスタの上半分のラインは左に移動され、ラスタの下半分のラインは右に移動されている。全体に矩形のラスタは、ラスタの上半分と下半分における走査線を適当に移動することにより、図１の全体に平行四辺形のラスタから得ることができる。例えば、図１の全体に平行四辺形のラスタの場合、ラスタの上半分の走査線は右に移動することができ、ラスタの下半分の走査線は左に移動することができる。
【００２２】
ラスタの各半分における走査線を適当に移動させるには、ラスタを走査するために電子ビームが偏向されるときに、水平偏向電流ＩH を垂直周波数のラスタ補正電流ＩO/P で変調することにより行うことができる。図４のａ、図４のｃ、図４のｄに関して述べると、水平偏向電流ＩH の走査部分は、ダンパ電流ＩD （これは電子ビームがラスタの左端からラスタの中央へ移動するときにダンパ・ダイオードＤ１を通って流れる）と電流ＩHOT （これは電子ビームがラスタの中央からラスタの右端に掃引するとき水平出力トランジスタＱ１を通って流れる）の和である。従って、図１に示すタイプの全体に平行四辺形のラスタは、全体として、ラスタの上半分では、電子ビームは、ダンパ電流ＩD の方向に水平偏向コイルＬH を通って流れる電流によって不均衡に偏向される。同様に、ラスタの下半分では電子ビームは、電流ＩHOT の方向に水平偏向コイルＬH を通って流れる電流によって不均衡に偏向される。従って、全体に矩形のラスタを発生させるためには、ラスタ補正電流ＩO/P は、ラスタの上半分においては電流ＩHOT と同じ方向に水平偏向コイルＬH を通って流れるべきであり、ラスタの下半分ではダンパ電流と同じ方向に水平偏向コイルＬH を通って流れるべきである。
【００２３】
図５に示す水平偏向装置３００において、全体に平行四辺形のラスタの上半分と下半分の走査線を適当に移動して全体に矩形のラスタを発生させるために、ラスタ補正回路２００を水平偏向回路１００に結合させることができる。図５に関して述べると、ラスタ補正回路２００は、インダクタンス・コイルＬC とコンデンサＣC を含むラスタ・センタリング回路網を介して水平偏向コイルＬH に結合される。インダクタンス・コイルＬC は、典型的には、水平偏向コイルＬH より大きいインダクタンスを有し、従って、より低いピーク・ピーク電流を流れさせる。図６に示す、垂直周波数ののこぎり波電圧の波形２１０と２１１はトランジスタＱ２とＱ３をそれぞれ駆動し、その結果、垂直周波数のラスタ補正電流ＩO/P がラスタ補正回路２００に流れ込む。のこぎり波形２１０と２１１は従来の手段（ここでは述べない）により発生される。
【００２４】
図５および図６に関して述べると、ラスタの上半分において、のこぎり波２１０はトランジスタＱ２をしゃ断状態から飽和状態に線形的に変調し、のこぎり波２１１はトランジスタＱ３を飽和させる。従って、水平偏向装置３００の動作は、等価水平偏向装置３００′（図７のａ）に関して説明することができる。図７のａにおいて、トランジスタＱ２とＲ２の並列の組合せは可変抵抗ＲEQ2 で表され、トランジスタＱ３は閉じたスイッチＳＷ3 で表される。電圧の極性および電流の向きは図７のａに示す方向を正とする。
【００２５】
図７のａおよび図７のｂに関して述べると、水平偏向電流ＩH の負の分は、水平偏向コイルＬH を通るダンパ電流に相当し、従って、ラスタの左縁からラスタの中央に至る電子ビームの偏向に相当し、この負の期間の間に、水平周波数のセンタリング電流ＩC の負の部分がセンタリング・インダクタンス・コイルＬC を通って流れる。ダイオードＤ２は逆方向にバイアスされ、ダイオードＤ３は順方向にバイアスされ、水平周波数のセンタリング電流ＩC は、ダイオードＤ３とスイッチＳＷ3 を介して、Ｓ−補正コンデンサＣS を充電する。小さい、正のセンタリング電圧Ｖ′C もセンタリング・コンデンサＣC の両端に設定される。電圧Ｖ′C は、ダイオードＤ３の順方向電圧降下とトランジスタＱ３のコレクタ／エミッタ間飽和電圧との和に近い値に固定される。
【００２６】
電子ビームがラスタの中央に達すると、水平偏向電流ＩH は向きを逆にして正になる。これは、水平偏向コイルＬH を通る電流ＩHOT の流れに相当し、従って、ラスタの中央からラスタの右縁に至る電子ビームの偏向に相当する。水平センタリング電流ＩC も正になる。これで、ダイオードＤ２は順方向にバイアスされ、ダイオードＤ３は逆方向にバイアスされ、水平周波数の電流が可変抵抗ＲEQ2 とダイオードＤ２を通って流れる。センタリング電圧Ｖ′C は負になり、可変抵抗ＲEQ2 の両端に発生する電圧ＶREQ2にほぼ等しくなる。
【００２７】
ラスタの上半分で水平ラインが連続的に走査され、のこぎり波２１０がトランジスタＱ２を駆動して飽和状態に近づけるので、センタリング電圧Ｖ′C の連続する負のピークの大きさは減少する。それ故、可変抵抗ＲEQ2 、従って、可変抵抗ＲEQ2 の両端に発生する電圧の大きさは、電子ビームが垂直走査期間の中央に近づくにつれて減少する。これは、図１に示す、直交誤差と平行四辺形誤差がひどく無くなることに相当し、電子ビームがラスタの上半分を走査するときに必要とされる補正は少なくなる。
【００２８】
センタリング電圧Ｖ′C の負のピークの大きさが連続的に減少すると、図７のｂおよび図９に示すように、垂直周波数ランプ波電圧Ｖ′rampを発生する。ランプ波電圧Ｖ′rampは、電流ＩHOT と同じ方向に水平偏向コイルＬH を通って補正電流ＩO/P を発生する。従って、ラスタ補正電流ＩO/P により水平偏向コイルＬH 内に誘起される磁界が、ラスタの中央から右縁に至る電子ビームの偏向期間の間に電流ＩHOT によりコイルＬH 内に誘起される磁界を有利に補償する。それによって、走査線は更に右に偏向される。
【００２９】
ラスタの下半分において、トランジスタＱ２とＱ３の役割は逆になる。のこぎり波２１０はトランジスタＱ２を飽和させ、のこぎり波２１１はトランジスタＱ３を飽和状態からしゃ断状態に線形的に変調する。従って、水平偏向装置３００は等価水平偏向装置３００″（図８のａ）で表すことができる。この図で、トランジスタＱ２は閉じたスイッチＳＷ2 で表され、トランジスタＱ３と抵抗Ｒ３の並列の組合わせは可変抵抗ＲEQ3 で表される。電圧の極性および電流の向きは図８のａに示す方向を正とする。
【００３０】
図８のａと図８のｂについて述べると、水平偏向電流ＩH の負の部分は、水平偏向コイルＬH を通って流れるダンパ電流ＩD に相当し、従って、ラスタの左縁から中央に偏向される電子ビームに相当し、この負の期間に、水平周波数のセンタリング電圧ＩC の負の部分はセンタリング・インダクタンス・コイルＬC を通って流れる。ダイオードＤ２は逆方向にバイアスされ、ダイオードＤ３は順方向にバイアスされ、水平周波数のセンタリング電流ＩC は、ダイオードＤ３と可変抵抗ＲEQ3 を通ってＳ−補正コンデンサＣS を充電する。正のセンタリング電圧Ｖ″C は、センタリング・コンデンサＣC の両端に設定され、可変抵抗ＲEQ3 の両端に生じる電圧ＶREQ3にほぼ等しい。
【００３１】
電子ビームがラスタの中央に達すると、水平偏向電流ＩH は向きを逆にし、正になる。これは、水平偏向コイルＬH を通って流れる電流ＩHOT に相当し、従って、ラスタの中央から右縁に偏向される電子ビームに相当する。水平センタリング電流ＩC も正になる。ここで、ダイオードＤ２は順方向にバイアスされ、ダイオードＤ３は逆方向にバイアスされ、水平周波数の電流はスイッチＳＷ2 とダイオードＤ２を通って流れる。センタリング電圧Ｖ″C は負となり、ダイオードＤ２の順方向電圧降下とトランジスタＱ２のコレクタ／エミッタ間の飽和電圧との和にほぼ等しい値に固定（ｃｌａｍｐ）される。
【００３２】
ラスタの下半分で水平ラインが連続的に走査されると、のこぎり波電流２１１はトランジスタＱ３をしゃ断する方向へ線形的に駆動するので、センタリング電圧Ｖ″C の連続的な正のピークは大きいが増加する。それ故、可変抵抗ＲEQ3 、従って可変抵抗ＲEQ3 に発生する電圧の大きさは、電子ビームが垂直走査期間の底部に達するにつれて増加する。これは、図１に示すような直交誤差と平行四辺形誤差がひどくなることに相当し、電子ビームがラスタの下半分を走査するにつれ、より多くの補正が必要となる。
【００３３】
センタリング電圧Ｖ″C の正のピークの大きさが連続的に増加すると、図８のｂおよび図９に示すような、垂直周波数のランプ波電圧Ｖ″rampを生じる。ランプ波電圧Ｖ″rampは、電流ＩD と同じ方向に水平偏向コイルＬH を通る補正電流ＩO/P を発生する。従って、ラスタ補正電流ＩO/P により水平偏向コイルＬH に誘起される磁界が、ラスタの左縁から中央に至る電子ビームの偏向の期間の間に電流ＩD によりコイルＬH に誘起される磁界を有利に補償する。それにより、走査線は更に左に偏向される。
【００３４】
ラスタ補正回路２００のダイオードＤ２とＤ３は、トランジスタＱ２とＱ３が導通状態から非導通状態に移行するときに起こる過大電圧に起因して生じる損傷または破壊からトランジスタＱ２とＱ３を保護するために必要に応じて使用される。
【００３５】
抵抗Ｒ２とＲ３は、それぞれ、図７のａおよび図８のａの可変抵抗ＲEQ2 とＲEQ3 の構成要素である。従って、抵抗Ｒ２とＲ３の値は、それぞれ、垂直周波数のランプ波電圧Ｖ′rampとＶ″rampの性質に影響を及ぼす。従って、センタリング・インダクタンス・コイルＬC の値が必要な電流を供給するのに十分なだけ低ければ、ラスタの幾何学的中心における電子ビームの水平方向のセンタリングは、抵抗Ｒ２とＲ３の値を適当に選択することにより実行できる。
【００３６】
垂直周波数ののこぎり波形２１０と２１１を適当にバイアスして、トランジスタＱ２とＱ３が役割を逆転する特定のゼロ交差点を選択することにより、電子ビームの水平センタリングを調節することもできる。例えば、図１０のａはゼロ交差点を示すように構成されたのこぎり波形２１０と２１１を示す。図１０のｂは、直流バイアスを供給して、ゼロ交差点をラスタの右縁の方へ移動した後の、のこぎり波形２１０′と２１１′を示す。図１０のｃは、直流バイアスを供給してゼロ交差点をラスタの左縁の方へ移動した後の、のこぎり波形２１０″と２１１″を示す。
【００３７】
もし直流バイアスがのこぎり波形２１０または２１１を、ピーク振幅−ＶSAW または＋ＶSAW を超える量だけ移動させるなら、ラスタ補正回路２００のトランジスタＱ２とＱ３のうち１つだけが垂直走査期間の間にラスタ補正電流ＩO/P を変調することができ、もう一方のトランジスタはその垂直走査期間の間中ずっと飽和状態に留まっている。例えば、もしのこぎり波形２１１が＋ＶSAW よりも大きい直流電圧であれば、トランジスタＱ２は垂直走査期間の間中ずっと飽和されており、ラスタ補正電流ＩO/P はトランジスタＱ３のみで変調される。もう一方の極値で、もしのこぎり波形２１０が−ＶSAW よりも大きい直流電圧であれば、トランジスタＱ３はその垂直走査期間の間中ずっと飽和しており、ラスタ補正電流ＩO/P はトランジスタＱ２だけで変調される。
【００３８】
水平偏向装置３００についての前述の説明は、右下りの走査と本来関連する直交誤差および平行四辺形誤差を生じるラスタに対してラスタ補正回路２００が与える有益な効果を示している。ラスタの上半分の部分において、ラスタ補正電流ＩO/P は水平偏向電流ＩH を変調して、電子ビームの偏向を更にラスタの右縁の方へ有利に伸長する。ラスタの下半分の部分で、ラスタ補正電流ＩO/P は水平偏向電流ＩH を変調して、電子ビームの偏向を更にラスタの左縁の方へ有利に伸長する。図１０に関して述べると、１フィールドにわたるこの変調の最終的な効果としては、比較的振幅の大きい水平偏向電流ＩH と比較的振幅の小さいラスタ補正電流ＩO/P が重ね合わされ、水平偏向コイルＬH を通る全電流はバイアスされ増加する。
【００３９】
【発明の効果】
ラスタにおける直交誤差および平行四辺形誤差を補正することができる。
【図面の簡単な説明】
【図１】直交誤差および平行四辺形誤差を有するラスタを示す。
【図２】陰極線管のラスタをＸ座標とＹ座標で示す。
【図３】従来の水平偏向回路を示す。
【図４】図３の従来の水平偏向回路と関連する電圧波形と電流波形を示す。
【図５】本文で述べる発明的構成と関連する水平偏向装置を示す。
【図６】本文で述べる発明的構成と関連する電圧波形を示す。
【図７】図５の水平偏向装置の動作を説明するのに役立つ等価回路を示す。
【図８】図５の水平偏向装置の動作を説明するのに役立つ等価回路を示す。
【図９】本文で述べる発明的構成と関連する電圧波形を示す。
【図１０】本文で述べる発明的構成の特徴を説明するのに役立つ電圧波形を示す。
【図１１】本文で述べる発明的構成と関連する電流波形を示す。
【符号の説明】
１００    従来の水平偏向回路
２００    ラスタ補正回路
２１０    のこぎり波電圧
２１１    のこぎり波電圧
３００    本発明の水平偏向装置
【図１】
0003947594.tif 000005
【図２】
0003947594.tif 000006
【図３】
0003947594.tif 000007
【図４】
0003947594.tif 000008
【図５】
0003947594.tif 000009
【図６】
0003947594.tif 000010
【図７】
0003947594.tif 000011
【図８】
0003947594.tif 000012
【図９】
0003947594.tif 000013
【図１０】
0003947594.tif 000014
【図１１】
0003947594.tif 000015